(57)【特許請求の範囲】
【請求項１】
押鍵操作される鍵と、
該鍵を回動自在に支持する鍵支持ユニットと、
係合部を有する質量体と、
被係合部を有し、該被係合部に前記質量体の係合部が係合することにより前記質量体を前記係合部を中心として回動自在に支持する質量体支持ユニットとを備え、
前記鍵は前記鍵支持ユニットに対して着脱自在に構成され、前記鍵を前記鍵支持ユニットに装着し、押鍵操作による前記鍵からの駆動力を受けて前記質量体が回動し得るときに、前記質量体の係合部と前記質量体支持ユニットの被係合部との係合の解除が阻止される一方、前記鍵を前記鍵支持ユニットから取り外したときに、前記質量体の自重による回動によって、前記質量体の係合部と前記質量体支持ユニットの被係合部との係合の解除が可能な位置に前記質量体が位置し、この位置で前記質量体を移動させることで該質量体を前記質量体支持ユニットから取り外し可能なように構成したことを特徴とする鍵盤装置。
【発明の詳細な説明】
【０００１】
【発明の属する技術の分野】
本発明は、質量体支持ユニットに支持され、押鍵操作により鍵からの駆動力を受けて回動する質量体を備えた鍵盤装置に関する。
【０００２】
【従来の技術】
従来、鍵や質量体等の回動部材を、回動時に脱落しないように支持するようにした鍵盤装置が知られている。
【０００３】
例えば特許第２５７１７１６号公報に記載の鍵盤装置では、回動部材としての鍵を鍵支持部材を介して鍵盤フレームにより支持するようにしている。鍵に回動支点当接部を備えると共に鍵支持部材に回動支点部を備え、回動支点当接部及び回動支点部の各断面形状を切り欠き部を有する１８０°以上の円弧として、両者の曲率半径をほぼ同じにしている。そして、鍵と鍵支持部材との相対角度が押鍵操作範囲外となる角度において、上記切り欠き部を利用して回動支点当接部と回動支点部とを嵌合させると共に、押鍵操作範囲内では両者が分離できないようにし、両者が分離不能な状態で鍵支持部材を嵌着溝にて鍵盤フレームに配設するようにしている。これにより、押鍵操作によって鍵が鍵盤フレームから脱落することなく回動自在に支持される。
【０００４】
このほか、回動部材としての質量体等を脱落なく保持する上で、回動部材側の回動支点部分とその支持部材側の両回動支点部分とを、押鍵操作範囲外における回動角度では嵌合、離脱可能であるが押鍵操作範囲内における回動角度では離脱不能なようにした鍵盤装置も知られている。
【０００５】
【発明が解決しようとする課題】
しかしながら、上記従来の鍵盤装置では、鍵をまず鍵支持部材に嵌合させ、分離不能な回動角度に直してから鍵盤フレームに取り付けなければならないため、取り付け作業が煩雑であり、取り外し時にも逆の工程をたどるため取り外しも容易でないという問題があった。特に、鍵支持部材が鍵盤フレームから脱落しないようにするために抜け止め部材が設けられる場合は、この抜け止め部材の着脱作業が加わるため、鍵の着脱作業が一層煩雑になるだけでなく、構成も複雑化するという問題があった。
【０００６】
また、従来の鍵盤装置では、質量体を回動自在に支持する場合、質量体の回動終了位置を規制するためのハンマストッパ等の当接部材が一般に設けられる。しかしながら、質量体支持部材への質量体の着脱は、押鍵操作範囲外の回動角度でのみ可能であるところ、当接部材が邪魔になって質量体を着脱可能な回動角度にできない場合は、質量体の着脱は当接部材が取り付いていない状態で行わなければならない。そのため、当接部材との着脱の順序を考慮しなければならず、特に質量体の取り外しには当接部材の取り外し作業が伴うことになり、着脱作業が煩雑であるという問題があった。
【０００７】
本発明は上記従来技術の問題を解決するためになされたものであり、その目的は、簡単な構成で、質量体の脱落なき回動を確保しつつ質量体の組み付け、取り外し作業を容易にすることができる鍵盤装置を提供することにある。
【０００８】
【課題を解決するための手段】
上記目的を達成するために本発明の請求項１の鍵盤装置は、押鍵操作される鍵と、該鍵を回動自在に支持する鍵支持ユニットと、係合部を有する質量体と、被係合部を有し、該被係合部に前記質量体の係合部が係合することにより前記質量体を前記係合部を中心として回動自在に支持する質量体支持ユニットとを備え、前記鍵は前記鍵支持ユニットに対して着脱自在に構成され、前記鍵を前記鍵支持ユニットに装着し、押鍵操作による前記鍵からの駆動力を受けて前記質量体が回動し得るときに、前記質量体の係合部と前記質量体支持ユニットの被係合部との係合の解除が阻止される一方、前記鍵を前記鍵支持ユニットから取り外したときに、前記質量体の自重による回動によって、前記質量体の係合部と前記質量体支持ユニットの被係合部との係合の解除が可能な位置に前記質量体が位置し、この位置で前記質量体を移動させることで該質量体を前記質量体支持ユニットから取り外し可能なように構成したことを特徴とする。
【０００９】
この構成によれば、質量体支持ユニットの被係合部に質量体の係合部が係合することにより質量体が係合部を中心として回動する。鍵を鍵支持ユニットに装着し、押鍵操作による前記鍵からの駆動力を受けて前記質量体が回動し得るときに、前記質量体の係合部と前記質量体支持ユニットの被係合部との係合の解除が阻止されるので、鍵支持ユニット及び質量体支持ユニットを組み付けた状態（通常の使用時等）では、係合部と被係合部との係合が解除されることがない。一方、前記鍵を前記鍵支持ユニットから取り外したときに、前記質量体の自重による回動によって、前記質量体の係合部と前記質量体支持ユニットの被係合部との係合の解除が可能な位置に前記質量体が位置し、この位置で前記質量体を移動させることで該質量体を前記質量体支持ユニットから取り外し可能である。従って、鍵支持ユニット及び質量体支持ユニットを組み付けるだけで質量体を回動自在に支持すると同時に質量体の脱落防止の機能を果たすので、組み付けが容易であるだけでなく、質量体の脱落防止専用の機構が不要で構成が簡単になる。よって、簡単な構成で、質量体の脱落なき回動を確保しつつ質量体の組み付け、取り外し作業を容易にすることができる。
【００１０】
なお、前記質量体の係合部及び前記質量体支持ユニットの被係合部は例えば次のように構成すればよい。すなわち、前記質量体の係合部及び前記質量体支持ユニットの被係合部の一方は、円形の軸から軸対称の２つの円弧を切欠した小判型の軸部（あるいは円形の軸から１つの円弧を切欠した軸部でもよい）を備えると共に、前記質量体の係合部及び前記質量体支持ユニットの被係合部の他方は、前記軸部の円弧部と略等しい直径を有する穴から前記軸部の胴体が通過可能な程度の大きさの円弧を切欠した欠円状の穴部を備えるように構成する。このように構成した場合、質量体の係合部と質量体支持ユニットの被係合部とを係合させるためには、軸部の胴体を、欠円状の穴部の切欠した円弧部分に通過させる。その後、係合部と被係合部とを相対的に回動させることで、両者が離脱することなく係合が維持される。よって、簡単な構成で係合及びその解除が容易になる。
【００１３】
【発明の実施の形態】
以下、本発明の実施の形態を図面を参照して説明する。
【００１４】
図１は、本発明の一実施の形態に係る鍵盤装置の部分縦断面図である。同図では、上ケースや蓋体等は省略されている。なお、以下、本鍵盤装置の演奏者側（同図左方）を前方、演奏者からみて鍵後端方向（同図右方）を後方とそれぞれ称する。
【００１５】
本装置は、例えば電子鍵盤楽器として構成され、押鍵操作されるシーソー型の鍵１（白鍵１Ｗ及び黒鍵１Ｂ）と、質量体支持部材２０（質量体支持ユニット）と、該支持部材２０によって回動自在に支持され鍵１によって駆動されて回動する質量体４０とを有する。質量体４０は、白鍵１Ｗ及び黒鍵１Ｂの各々に対応して設けられ、質量配分等を除きいずれも同様に構成される。支持部材２０は、例えば１オクターブ毎に構成される（図２）。
【００１６】
棚板２上には鍵フレーム１０（鍵支持ユニット）が設けられている。鍵フレーム１０上には鍵支持部３が設けられ、鍵支持部３には支点ピン６（白鍵用支点ピン６Ｗ、黒鍵用支点ピン６Ｂ）が各鍵１に対応して突設されている。各鍵１Ｗ、１Ｂにはそれぞれ支点穴１Ｗａ、１Ｂａが設けられている。支点穴１Ｗａ、１Ｂａはいずれも、下方に向かって縮径している。各鍵１の鍵盤装置本体への組み付け（鍵フレーム１０を介した棚板２への取り付け）時には、支点ピン６が支点穴１Ｗａ、１Ｂａを貫通し、これにより、各鍵１の鍵並び方向及び鍵長手方向の位置が規制されると共に、各鍵１が鍵支持部３によって押離鍵方向に回動自在に支持される。各鍵１の後端部上面には、発泡ウレタンが貼着され、さらにその上面には摺動しやすいテープが貼着されている。これら発泡ウレタン及びテープからなる弾性体が貼着された部分は後述する質量体４０の発音位置調整ネジ４１と当接して質量体４０を駆動する駆動部９として機能する。上記弾性体により当接がチャタリングなく円滑にされている。
【００１７】
鍵フレーム１０の前部には、押鍵ストッパ４（白鍵用押鍵ストッパ４Ｗ、黒鍵用押鍵ストッパ４Ｂ）及びキーガイド５（白鍵用キーガイド５Ｗ、黒鍵用キーガイド５Ｂ）が各鍵１毎に設けられている。押鍵ストッパ４は鍵１と当接して鍵１の押鍵の回動終了位置を規制する。キーガイド５は、鍵１の回動時における鍵並び方向への揺動を抑制する。
【００１８】
鍵フレーム１０上における押鍵ストッパ４、キーガイド５の後方であって鍵支持部３の前方には、スイッチ基板７が設けられ、該スイッチ基板７には各鍵１毎に第１の鍵スイッチ８が設けられている。第１の鍵スイッチ８は押鍵操作を検出する。
【００１９】
質量体支持部材２０は、棚板２上における鍵１の後端部近傍に設けられている。支持部材２０の前部には、非押鍵時用ストッパ２１が各鍵１毎に設けられており、非押鍵時用ストッパ２１は、鍵１と当接して鍵１の押鍵開始位置（図１）、すなわち非押鍵時の位置を規制する。支持部材２０の後部には、質量体用ストッパ２２が各質量体４０毎に設けられている。質量体用ストッパ２２は、質量体４０の当接部４４（質量体の被当接部）と当接して、押鍵に伴う質量体４０の回動の終了位置を規制すると共に、緩衝機能を果たす。
【００２０】
支持部材２０にはさらに、スイッチ基板２３が設けられる。スイッチ基板２３は、複数の支持部材２０に対応、例えば全鍵に対応して設けられ、ネジ２４によって支持部材２０に固定されている。スイッチ基板２３上には第２の鍵スイッチ２５が各質量体４０毎に設けられている。第２の鍵スイッチ２５は、質量体４０によって押下され、主として鍵１の離鍵動作を間接的に検出する。なお、本実施の形態では、設定モードにより、第１の鍵スイッチ８及び第２の鍵スイッチ２５の双方による検出結果に基づいて、所定のアルゴリズムによる多彩な楽音制御が可能なように構成されているが、鍵スイッチ８及び第２の鍵スイッチ２５のいずれか一方による検出結果に基づいて楽音制御を行うようにしてもよい。
【００２１】
図２は、支持部材２０を上方からみた平面図である。図３は、図２のＡ−Ａ線に沿う断面図である。図２、図３では、鍵１や質量体４０等が取り付けられていない状態が示されている。
【００２２】
図２、図３に示すように、支持部材２０には、各質量体４０を軸支するための軸支部Ｅが各質量体４０に対応して設けられる。軸支部Ｅは、前壁部３３の後方で両側壁部３４、仕切壁部３５及び床部３６で囲まれた空間に構成され、回動軸部３２（被係合部）を有する。これら前壁部３３、側壁部３４、仕切壁部３５、床部３６及び回動軸部３２は、金型による成形で支持部材２０と一体に形成される。
【００２３】
回動軸部３２は、図２に示すように、左側突起部３２Ｌ及び右側突起部３２Ｒが、両側壁部３４から互いに対向して内向きに突設されて構成される。突起部３２Ｌ、３２Ｒは、図３に示すように円形の軸から軸対称の２つの円弧を切欠した上下方向に長い小判型の形状をしている。突起部３２Ｌ、３２Ｒの上部及び下部には、後述する質量体４０の軸受け部４５（係合部）の欠円Ｒに嵌合する円弧部（３２Ｌａ、３２Ｌｂ、３２Ｒａ、３２Ｒｂ）が形成され、この円弧部３２ａ、３２ｂの直径は欠円Ｒのそれと同じか僅かに小さく設定されている。また、突起部３２Ｌ、３２Ｒの前後方向（同図左右方向）の胴体幅は、軸受け部４５の欠円Ｒの開口部Ｒａ（後述）の幅より小さく形成され、突起部３２Ｌ、３２Ｒが開口部Ｒａを通過できるようになっている。
【００２４】
図４は、質量体４０の構成を示す側面図である。図５は、質量体４０の軸受け部４５の構成を示す部分拡大図（同図（ａ））及び部分斜視図（同図（ｂ））である。
【００２５】
質量体４０は、適当な押鍵感触を得るために設けられる。図４に示すように、質量体４０は、軸受け部４５から前方に延びる前方延設部４０Ａと、軸受け部４５から後方に延びる後方延設部４０Ｂとから構成される。質量体４０には、押鍵時に適当な慣性力を得るための質量として、前方延設部４０Ａの頭部４６及び後方延設部４０Ｂの尾部４７に鉄等の金属が埋設されている。
【００２６】
質量体４０は、前方延設部４０Ａの方が後方延設部４０Ｂよりも重く設定されている。従って、鍵１が組み付けられた後は、非押鍵状態及び押鍵初期には鍵１の駆動部９と常に当接し、鍵１と質量体４０とが連動状態となる。なお、押鍵態様によっては押鍵行程途中から質量体４０が鍵１の駆動部９から離間する場合がある。
【００２７】
後方延設部４０Ｂの下面には、アクチュエータ４２が設けられ、アクチュエータ４２は、質量体４０の回動に伴い支持部材２０の鍵スイッチ２５を押下する。後方延設部４０Ｂの後端部下面には、当接部４４が形成されている。当接部４４は、質量体４０の回動によって支持部材２０の質量体用ストッパ２２に当接する。
【００２８】
発音位置調整ネジ４１は、延設部４０Ａに設けられている。発音位置調整ネジ４１は、頭部４１ａ、調整部４１ｂ及び軸部４１ｃが一体となって構成され、例えば質量体４０の金型による成形時にインサート成形により質量体４０に取り付けられる。発音位置調整ネジ４１は、頭部４１ａが鍵１の駆動部９と当接して押鍵による駆動力を質量体４０に伝達し、これによって質量体４０が回動する。
【００２９】
発音位置調整ネジ４１の頭部４１ａは曲面状に形成されており、鍵１の駆動部９との当接点が回動行程において滑らかに移動して、押鍵感触への悪影響が防止されている。調整部４１ｂには例えばプラスまたはマイナス状の溝が切られ（図示せず）、頭部４１ａの下方への突出量をドライバで調整可能になっており、これによって、質量体４０の回動量と鍵スイッチ２５の検出による発音タイミングとの関係を調整することができる。
【００３０】
軸受け部４５は、質量体４０と一体に形成され、左右両側面に同様の構成で左右対称に設けられる。図５に示すように、軸受け部４５は、内周面４５ａ及び開口部Ｒａからなる欠円Ｒを形成している。欠円Ｒの内周面４５ａの直径は、上述したように、支持部材２０の回動軸部３２（突起部３２Ｌ、３２Ｒ）の円弧部（３２ａ、３２ｂ）の外周が嵌合する大きさに形成される。欠円Ｒの開口部Ｒａの幅は、突起部３２Ｌ、３２Ｒの円弧部の直径より小さく形成され、突起部３２Ｌ、３２Ｒは内周面４５ａと嵌合している状態では開口部Ｒａを通過できないようになっている。質量体４０は、回動軸部３２によって軸受け部４５で回動自在に支持されることで、押離鍵時に軸受け部４５を回動中心として回動する。小判型の回動軸部３２と欠円状の軸受け部４５とで質量体４０の回動支点機構を構成することで、簡単な構成で係合及びその解除を容易にしている。
【００３１】
押鍵操作範囲外に対応する質量体４０の回動角度のうち、押鍵操作開始時における質量体の回動開始位置（図１）よりも同図反時計方向の回動角度では、突起部３２Ｌ、３２Ｒが開口部Ｒａを通過できる一方、押鍵操作範囲内（図１の状態から後述する図７の状態までの回動範囲）に対応する質量体４０の回動角度では、突起部３２Ｌ、３２Ｒが開口部Ｒａを通過できないように、回動軸部３２における円弧の切欠位置や軸受け部４５の開口部Ｒａの配置角度等が設定されている。
【００３２】
軸受け部４５の両側面には摺接面４５ｂ及び潤滑剤用溝４５ｃが複数形成される。複数の摺接面４５ｂはいずれも面一に形成され、質量体４０を支持部材２０に組み付けたとき、支持部材２０の軸支部Ｅの両側壁部３４に摺接する。内周面４５ａ等にはグリス等の潤滑剤が塗布される。
【００３３】
図６は、質量体４０の組み付け時の状態を示す部分断面図である。
【００３４】
質量体４０の支持部材２０への組み付けは次のようにしてなされる。すなわち、同図に示すように質量体４０の欠円Ｒの開口部Ｒａが下方を向くようにして回動軸部３２に向かって質量体４０を上方から降ろしていく。そして、突起部３２Ｌ、３２Ｒが両側の開口部Ｒａをそれぞれ通過するようにする。なお、このときの質量体４０の姿勢は、組み付け後の押鍵による押鍵操作範囲外に対応する回動角度となっている。質量体４０が支持部材２０に組み付けられた直後の状態では頭部４６が下がっており、上方から下降させるときの姿勢とほぼ同じである。従って、取り外し時等には、その姿勢のまま上方に上昇させれば突起部３２Ｌ、３２Ｒと軸受け部４５との係合を容易に解くことができ、すなわち質量体４０を取り外すことができる。
【００３５】
質量体４０を上方から下降させた後、質量体４０を回動軸部３２に対して適当な角度だけ相対的に回動させる、例えば同図時計方向に回動させて非押鍵時の位置（回動開始位置）まで回動させれば、突起部３２Ｌ、３２Ｒの円弧部３２ａ、３２ｂが軸受け部４５の内周面４５ａと摺接し、突起部３２Ｌ、３２Ｒと軸受け部４５との係合が維持される状態となるのであるが、本実施の形態では、次に示す鍵１の組み付け作業により質量体４０がこの係合維持状態に自動的に移行するようにしている。
【００３６】
鍵１の鍵フレーム１０を介した棚板２への取り付けは、基本的には、支持部材２０に質量体４０が取り付けられ、しかも支持部材２０が棚板２に組み付けられた後に行われる。具体的には、棚板２に鍵フレーム１０を固定した上で、鍵フレーム１０の支点ピン６上に鍵１を載せ、鍵１を、支点ピン６上をスライドさせて後方に移動し、支点ピン６が支点穴１Ｗａ（１Ｂａ）を貫通するようにしつつ鍵１の後端部を質量体４０の頭部４６の下方に潜り込ませる。質量体４０は、組み付け直後は頭部４６が下がっているが、鍵１の後端部が頭部４６の下方に潜り込むことで頭部４６が持ち上げられ、鍵１及び質量体４０は、最終的に図１に示す押鍵開始位置、すなわち押鍵開始時における質量体４０の回動開始位置に収まる。この状態になると、質量体４０が支持部材２０によって回動自在に支持されたことになる。
【００３７】
なお、鍵フレーム１０は押鍵ストッパ４及びキーガイド５を支持する前部１００と鍵支持部３とで一体に形成されているので（図１）、アッセンブリとしての鍵フレーム１０をまず棚板２に固定し、鍵フレーム１０に鍵１を全て取り付け、その後、支持部材２０と質量体４０とのアッセンブリを、質量体４０を上跳ね状態に仮固定しつつ鍵１にアッセンブルするように取り付け、支持部材２０を棚板２に固定してから質量体４０の仮固定をはずすようにしてもよい。
【００３８】
なお、鍵フレーム１０に鍵１を組み付けた後、鍵フレーム１０ごと棚板２に固定するようにしてもよい。その場合は、鍵フレーム１０を後方にスライド移動させて各鍵１が各質量体４０の下方に潜り込むようにすればよい。
【００３９】
図７は、押鍵終了状態における鍵盤装置の部分縦断面図である。
【００４０】
鍵１を組み付けた鍵フレーム１０及び質量体４０を組み付けた支持部材２０を、上記のように質量体４０を回動自在に適切に支持し得るような棚板２上の正規の位置（所定の位置関係）に配置固定した後は、鍵１の押鍵操作に連動して質量体４０が回動開始位置（図１）から回動終了位置（図７）まで回動する。上述したように、押鍵操作範囲内では、突起部３２Ｌ、３２Ｒが軸受け部４５の欠円Ｒから抜けることがないので、回動全行程において突起部３２Ｌ、３２Ｒと軸受け部４５との係合が維持され、質量体４０が支持部材２０から離脱することなく回動する。この意味で、鍵１乃至鍵フレーム１０は、質量体４０の脱落防止の機能を果たす。
【００４１】
鍵１及び質量体４０を組み付けた後、メンテナンス等のため質量体４０を取り外したいときは、鍵１を鍵フレーム１０から取り外すかまたは鍵１を鍵フレーム１０ごと棚板２から取り外す（所定の位置関係以外の状態とする）。これにより、質量体４０の頭部４６が自重で下方に垂れ下がり、上記組み付け直後と同じ姿勢になるので、その姿勢で上方に上昇させれば質量体４０を支持部材２０から容易に取り外すことができる。
【００４２】
本実施の形態によれば、押鍵操作により質量体４０が回動し得る所定の位置関係に鍵フレーム１０及び支持部材２０を配置したときは、軸受け部４５と回動軸部３２との嵌合の解除が阻止される。すなわち、押鍵操作範囲外に対応する質量体４０の回動角度は、鍵フレーム１０及び支持部材２０が組み付けられた状態（通常の使用時等）ではとり得ない回動角度であるから、押鍵操作範囲内に対応する質量体４０の回動角度では、軸受け部４５と回動軸部３２との嵌合が解除されることがなく、質量体４０が支持部材２０から勝手に外れるようなことがない。従って、押鍵操作範囲内では軸受け部４５と回動軸部３２との嵌合状態が維持されて支持部材２０により質量体４０が回動自在に支持されるので、質量体４０の回動が確保される。
【００４３】
一方、鍵フレーム１０または支持部材２０のいずれかを棚板２から取り外すか鍵１を鍵フレーム１０から取り外せば、質量体４０が押鍵操作範囲外に対応する回動角度となり、軸受け部４５と回動軸部３２との嵌合の解除をなし得るので、嵌合の解除が容易である。
【００４４】
従って、鍵フレーム１０及び支持部材２０を組み付けるだけで質量体４０を回動自在に支持すると同時に質量体４０の脱落防止の機能を果たすので、組み付けが容易であるだけでなく、質量体４０の脱落防止専用の機構が不要で構成が簡単になる。
【００４５】
また、質量体４０の支持部材２０への着脱は、質量体４０を上下方向に移動させることでなされるので作業がやりやすい。さらに、質量体の上下方向への移動は、質量体４０の回動開始位置に比し、当接部４４が質量体用ストッパ２２からより遠ざかる回動方向における回動角度においてなされるので、質量体用ストッパ２２と質量体４０のいずれを先に支持部材２０に着脱するかという先後を問うことなく着脱が可能になる。例えば質量体用ストッパ２２を外さなくても質量体４０の取り外しが可能で、作業工程上有利である。それだけでなく、質量体用ストッパ２２を支持部材２０側にまとまって配置することが容易になるので、構成を簡単にすることができる。
【００４６】
よって、簡単な構成で、質量体の脱落なき回動を確保しつつ質量体の組み付け、取り外し作業を容易にすることができる。
【００４７】
なお、本実施の形態では質量体４０を支持部材２０から上下方向に移動させることで軸受け部４５と回動軸部３２との嵌合及び嵌合の解除をなし得るようにしたが、嵌合及び嵌合の解除をなし得る回動角度は上記例示した角度に限るものではない。例えば、押鍵操作範囲外であって且つ当接部４４が質量体用ストッパ２２から遠ざかる回動方向における回動角度の姿勢であれば、斜め前方や斜め後方等、他の方向であってもよい。
【００４８】
なお、軸受け部４５と回動軸部３２の構成は上記例示したものに限るものでなく、特定の相対的な回動方向では係合及び係合解除が可能で、別の回動方向では係合の解除ができないようにすれば他の構成を採用してもよい。例えば、突起部３２Ｌ、３２Ｒは、円形の軸から軸対称の２つの円弧を切欠した小判型の形状に形成したが、これに代えて、円形の軸から１つの円弧を切欠した軸部として構成してもよい。あるいは軸受け部４５と回動軸部３２との形態を逆にし、質量体４０側に小判型の軸部を、支持部材２０側に欠円状の軸受け部をそれぞれ設けるようにしてもよい。
【００４９】
【発明の効果】
以上説明したように、本発明の請求項１に係る鍵盤装置によれば、質量体の脱落防止専用の機構を不要として、簡単な構成で、質量体の脱落なき回動を確保しつつ質量体の組み付け、取り外し作業を容易にすることができる。
【００５０】
請求項２に係る鍵盤装置によれば、質量体の着脱を当接部との着脱の先後を問わず上下方向への移動により可能にして、簡単な構成で、質量体の脱落なき回動を確保しつつ質量体の組み付け、取り外し作業を容易にすることができる。
【図面の簡単な説明】
【図１】  本発明の一実施の形態に係る鍵盤装置の部分縦断面図である。
【図２】  支持部材を上方からみた平面図である。
【図３】  図２のＡ−Ａ線に沿う断面図である。
【図４】  質量体の構成を示す側面図である。
【図５】  質量体の軸受け部の構成を示す部分拡大図（同図（ａ））及び部分斜視図（同図（ｂ））である。
【図６】  質量体の組み付け時の状態を示す部分断面図である。
【図７】  押鍵終了状態における鍵盤装置の部分縦断面図である。
【符号の説明】
１  鍵、  ２  棚板、  ３  鍵支持部、  １０  鍵フレーム（鍵支持ユニット）、  ２０  質量体支持部材（質量体支持ユニット）、  ２２  質量体用ストッパ、  ２３  スイッチ基板、  ３２  回動軸部（被係合部）（突起部３２Ｌ、３２Ｒ）、  ３２ａ  円弧部、  ３２ｂ  円弧部、  ３３  前壁部、  ３４  両側壁部、  ３５  仕切壁部、  ３６  床部、  ４０  質量体、  ４１  発音位置調整ネジ、  ４４  当接部（質量体の被当接部）、  ４５  軸受け部（係合部）、４５ａ  内周面、  ４６  頭部、  ４７  尾部、  Ｅ  軸支部、  Ｒ  欠円、Ｒａ  開口部
【図１】
0003680686.tif 000002
【図２】
0003680686.tif 000003
【図３】
0003680686.tif 000004
【図４】
0003680686.tif 000005
【図５】
0003680686.tif 000006
【図６】
0003680686.tif 000007
【図７】
0003680686.tif 000008